(57)【要約】【課題】  サンプル生地製作の手間がなく、照明により彩色された生地と装飾片の組み合わせを購入者に見せることができる色彩適合方法及び色彩適合装置を提供する。【解決手段】  色彩適合装置１は、白色生地５の表面５ａ側に装飾片１０を配置し、白色生地５の裏面５ｂ側に透過性カラー板９を設け、白色生地５の裏面５ｂ側から透過性カラー板９に光を照射して白色生地５を透過性カラー板９と略同色に彩色し、装飾片１０と彩色された生地５の色の適合を調べることができる。【選択図】        図１
2005298999.tif 000002
【特許請求の範囲】
【請求項１】
生地の表面側に装飾片を配置し、
生地の裏面側に透過性カラー板を設け、
生地の裏面側から透過性カラー板に光を照射して生地を透過性カラー板と略同色に彩色し、
装飾片と彩色された生地の色の適合を調べることができることを特徴とする色彩適合方法。
【請求項２】
生地の表面側に複数の装飾片の中から一つを選択して配置し、
生地の裏面側に複数の透過性カラー板の中から一つを選択して配置し、
生地の裏面側から選択した透過性カラー板に光を照射して生地を透過性カラー板と略同色に彩色し、
選択した装飾片と選択した透過性カラー板によって彩色された生地の色の適合を調べることができることを特徴とする色彩適合方法。
【請求項３】
生地が白色であることを特徴とする請求項１又は２記載の色彩適合方法。
【請求項４】
白色生地と、
白色生地の表面側に配置される装飾片と、
白色生地の裏面側に設けられる透過性カラー板と、
白色生地の裏面側から透過性カラー板に光を照射して白色生地を透過性カラー板と略同色に彩色する照明手段とを有することを特徴とする色彩適合装置。
【請求項５】
白色生地と、
白色生地の表面側に一つが選択されて配置される複数の装飾片と、
白色生地の裏面側に一つが選択されて設けられる複数の透過性カラー板と、
白色生地の裏面側から選択した透過性カラー板に光を照射して白色生地を透過性カラー板と略同色に彩色する照明手段とを有することを特徴とする色彩適合装置。
【請求項６】
透孔が形成された基枠と、
透孔を塞ぐようにして基枠に設けられた白色生地と、
白色生地の表面側に配置される装飾片と、
白色生地の裏面側であって、基枠に着脱自在に設けられる透過性カラー板と、
白色生地の裏面側から透過性カラー板に光を照射して白色生地を透過性カラー板と略同色に彩色する照明手段とを有することを特徴とする色彩適合装置。
【請求項７】
透過性カラー板は、白色生地と略平行となるようにして基枠に着脱自在に設けられるようになっていることを特徴とする請求項６記載の色彩適合装置。
【請求項８】
白色生地は、取付枠に固定され、基枠に着脱自在に設けられるようになっていることを特徴とする請求項６又は７記載の色彩適合装置。
【請求項９】
複数の透孔が形成された基枠と、
複数の透孔を塞ぐようにして基枠に設けられた白色生地と、
白色生地の表面側であって、複数の透孔の位置に配置可能な複数の装飾片と、
白色生地の裏面側であって、基枠の複数の透孔の位置に着脱自在に設けられる複数の透過性カラー板と、
白色生地の裏面側から複数の透過性カラー板に光を照射して各透孔部の白色生地を透過性カラー板と略同色に彩色する照明手段とを有することを特徴とする色彩適合装置。
【発明の詳細な説明】
【技術分野】
【０００１】
本願発明は、装飾片に適合した衣服の色を選択することができる色彩適合方法及び色彩適合装置に関する。
【背景技術】
【０００２】
従来、エンブレム、ワッペン、刺繍等の装飾片は、Ｔシャツ、ジャージ、ジャケット等の衣服に、熱溶着、縫製、面ファスナー等により取り付けられている。この衣服と装飾片の組み合わせは、その装飾片の形状、色彩、模様等のデザインと衣服の色を考えて、購入者が自分の好みによって選択する。係る選択は、実際に衣服の上に装飾片をおいてみないと実感できず、頭の中だけでは難しい。特に装飾片は、複数の色の組み合わせによって形成されていることが多く、頭の中だけで衣服の色を選択すること困難である。
【発明の開示】
【発明が解決しようとする課題】
【０００３】
上記したように、衣服の色は、複雑な模様構成からなる装飾片を実際に衣服の上においてみないと選択することができないので、お店では各色そろえた多数の生地を用意しておく必要がある。しかし、あらゆる色をそろえた多数の生地を用意しておくことは、サンプルを多数作らなければならないので製作に手間がかかり、陳列スペースが大きくなり過ぎ、管理が面倒であり、不可能であるという問題点があった。そのため、店において用意される生地は、色の数が少なく、お客のニーズに沿うことができないという問題点があった。
【０００４】
本願発明は、上記問題点に鑑み案出したものであって、あらゆる色の生地を用意する必要がないので、サンプル生地製作の手間がなく、陳列スペースが小さくてすみ、宣伝効果が高く、お客のニーズに沿って多数の色の生地と装飾片の組み合わせを購入者に見せることができる色彩適合方法及び色彩適合装置を提供することを目的とする。
【課題を解決するための手段】
【０００５】
本願請求項１に係る色彩適合方法は、上記目的を達成するため、生地の表面側に装飾片を配置し、生地の裏面側に透過性カラー板を設け、生地の裏面側から透過性カラー板に光を照射して生地を透過性カラー板と略同色に彩色し、装飾片と彩色された生地の色の適合を調べることができる。
【０００６】
本願請求項２に係る色彩適合方法は、上記目的を達成するため、生地の表面側に複数の装飾片の中から一つを選択して配置し、生地の裏面側に複数の透過性カラー板の中から一つを選択して配置し、生地の裏面側から選択した透過性カラー板に光を照射して生地を透過性カラー板と略同色に彩色し、選択した装飾片と選択した透過性カラー板によって彩色された生地の色の適合を調べることができる。
【０００７】
本願請求項３に係る色彩適合方法は、上記目的を達成するため、上記生地が白色であることが望ましい。
【０００８】
本願請求項４に係る色彩適合装置は、上記目的を達成するため、白色生地と、白色生地の表面側に配置される装飾片と、白色生地の裏面側に設けられる透過性カラー板と、白色生地の裏面側から透過性カラー板に光を照射して白色生地を透過性カラー板と略同色に彩色する照明手段とを有する。
【０００９】
本願請求項５に係る色彩適合装置は、上記目的を達成するため、白色生地と、白色生地の表面側に一つが選択されて配置される複数の装飾片と、白色生地の裏面側に一つが選択されて設けられる複数の透過性カラー板と、白色生地の裏面側から選択した透過性カラー板に光を照射して白色生地を透過性カラー板と略同色に彩色する照明手段とを有する。
【００１０】
本願請求項６に係る色彩適合装置は、上記目的を達成するため、透孔が形成された基枠と、透孔を塞ぐようにして基枠に設けられた白色生地と、白色生地の表面側に配置される装飾片と、白色生地の裏面側であって、基枠に着脱自在に設けられる透過性カラー板と、白色生地の裏面側から透過性カラー板に光を照射して白色生地を透過性カラー板と略同色に彩色する照明手段とを有する。
【００１１】
本願請求項７に係る色彩適合装置は、上記目的を達成するため、上記透過性カラー板が、白色生地と略平行となるようにして基枠に着脱自在に設けられるようになっている。
【００１２】
本願請求項８に係る色彩適合装置は、上記目的を達成するため、上記白色生地が、取付枠に固定され、基枠に着脱自在に設けられるようになっている。
【００１３】
本願請求項９に係る色彩適合装置は、上記目的を達成するため、複数の透孔が形成された基枠と、複数の透孔を塞ぐようにして基枠に設けられた白色生地と、白色生地の表面側であって、複数の透孔の位置に配置可能な複数の装飾片と、白色生地の裏面側であって、基枠の複数の透孔の位置に着脱自在に設けられる複数の透過性カラー板と、白色生地の裏面側から複数の透過性カラー板に光を照射して各透孔部の白色生地を透過性カラー板と略同色に彩色する照明手段とを有する。
【発明の効果】
【００１４】
本願発明に係る色彩適合方法は、生地の表面側に装飾片を配置し、生地の裏面側に透過性カラー板を設け、生地の裏面側から透過性カラー板に光を照射すると、生地が透過性カラー板と略同色に彩色され、装飾片と彩色された生地の色の適合を調べ、購入者が装飾片に合った生地の色を決めることができるという効果がある。
【００１５】
また、本願発明に係る色彩適合方法は、生地の表面側に、店員等が複数の装飾片の中から購入者の気に入ったデザインの装飾片を選択して配置し、生地の裏面側に、同じく購入者が複数の透過性カラー板の中から希望する色のものを選択して配置し、生地の裏面側から選択した透過性カラー板に光を照射すると、生地が透過性カラー板と略同色に彩色され、購入者が、選択した装飾片と選択した透過性カラー板によって彩色された生地の色の適合を調べ、自分が選択した装飾片に合った生地の色を決定することができるという効果がある。
【００１６】
本願発明に係る色彩適合方法は、上記生地を白色にすると、照明による彩色がし易く、且つ透明カラー板と略同色に彩色されるという効果がある。
【００１７】
本願発明に係る色彩適合装置は、白色生地と、白色生地の表面側に配置される装飾片と、白色生地の裏面側に設けられる透過性カラー板と、白色生地の裏面側から透過性カラー板に光を照射して白色生地を透過性カラー板と略同色に彩色する照明手段とを有し、照明手段により生地の裏面側から透過性カラー板に光を照射すると、白色生地が透過性カラー板と略同色に彩色され、購入者が装飾片と彩色された白色生地の色の適合を調べ、装飾片に合った生地の色を決めることができるという効果がある。そのため、着色された多数のサンプル生地を作る手間と、作られたサンプル生地を保管若しくは陳列するスペースが削減されるという効果がある。
【００１８】
本願発明に係る色彩適合装置は、白色生地と、白色生地の表面側に一つが選択されて配置される複数の装飾片と、白色生地の裏面側に一つが選択されて設けられる複数の透過性カラー板と、白色生地の裏面側から選択した透過性カラー板に光を照射して白色生地を透過性カラー板と略同色に彩色する照明手段とを有し、照明手段により生地の裏面側から選択した透過性カラー板に光を照射すると、白色生地が透過性カラー板と略同色に彩色され、購入者が選択した装飾片と彩色された白色生地の色の適合を調べ、選択した装飾片に合った生地の色を決めることができるという効果がある。そのため、着色された多数のサンプル生地を作る手間と、作られたサンプル生地を保管若しくは陳列するスペースが削減されるという効果がある。
【００１９】
本願発明に係る色彩適合装置は、透孔が形成された基枠と、透孔を塞ぐようにして基枠に設けられた白色生地と、白色生地の表面側に配置される装飾片と、白色生地の裏面側であって、基枠に着脱自在に設けられる透過性カラー板と、白色生地の裏面側から透過性カラー板に光を照射して白色生地を透過性カラー板と略同色に彩色する照明手段とを有するので、上記効果に加え、透過性カラー板の着脱が容易であるという効果がある。
【００２０】
本願発明に係る色彩適合装置は、上記透過性カラー板が、白色生地と略平行となるようにして基枠に着脱自在に設けられるようになっているので、白色生地に彩色される色の濃淡が出来にくいという効果がある。
【００２１】
本願発明に係る色彩適合装置は、上記白色生地が取付枠に固定され、基枠に着脱自在に設けられるようになっているので、白色生地を簡単に交換することができるという効果がある。
【００２２】
本願発明に係る色彩適合装置は、複数の透孔が形成された基枠と、複数の透孔を塞ぐようにして基枠に設けられた白色生地と、白色生地の表面側であって、複数の透孔の位置に配置可能な複数の装飾片と、白色生地の裏面側であって、基枠の複数の透孔の位置に着脱自在に設けられる複数の透過性カラー板と、白色生地の裏面側から複数の透過性カラー板に光を照射して各透孔部の白色生地を透過性カラー板と略同色に彩色する照明手段とを有し、照明手段により生地の裏面側から複数の透過性カラー板に光を照射すると、各透孔部の白色生地が透過性カラー板と略同色に彩色され、透過性カラー板を交換する手間が省け、装飾片と異なる生地の色の適合性を透過性カラー板を交換することなく一目で比較することができ、装飾片と生地の色の適合性の決定を容易にすることができるという効果がある。
【発明を実施するための最良の形態】
【００２３】
本願発明の実施の形態を図１乃至図４に基づいて説明する。図１は、本願発明に係る色彩適合装置及び色彩適合方法の原理図である。図２は、本願発明に係る色彩適合装置及び色彩適合方法の一つの実施の形態を示す説明図である。図３，４は、本願発明に係る色彩適合装置及び色彩適合方法の他の実施の形態を示す説明図である。
【００２４】
色彩適合方法は、図１に示すように、生地５の表面５ａ側に装飾片１０を配置し、生地５の裏面５ｂ側に透過性カラー板９を設け、生地５の裏面５ｂ側から透過性カラー板９に光を照射して生地５を透過性カラー板９と略同色に彩色し、装飾片１０と彩色された生地５の色の適合を調べることができる。装飾片１０は、複数の装飾片の中から一つを選択して配置するようにしても構わない。透過性カラー板９は、複数の透過性カラー板の中から一つを選択して配置する。なお、生地５が白色であるが望ましい。生地５が白色であると、照明による彩色がし易く、且つ透明カラー板９と略同色に彩色される。
【００２５】
色彩適合装置１，１１，２１は、図１，２，３に示すように、白色生地５と、白色生地
５の表面５ａ側に配置される装飾片１０と、白色生地５の裏面５ｂ側に設けられる透過性カラー板９と、白色生地５の裏面５ｂ側から透過性カラー板９に光を照射して白色生地５を透過性カラー板９と略同色に彩色する照明手段６とを有する。装飾片１０は、複数の装飾片の中から一つが選択されて配置される。透過性カラー板９は、複数の透過性カラー板９の中から一つが選択されて設けられる。
【００２６】
色彩適合装置１，１１，２１は、図１，２，３に示すように、透孔３，１３，２９が形成された基枠２，１２，２２と、透孔３，１３，２９を塞ぐようにして基枠２，１２，２２に設けられた白色生地５と、白色生地５の表面５ａ側に配置される装飾片１０と、白色生地５の裏面５ｂ側であって、基枠２，１２，２２に着脱自在に設けられる透過性カラー板９と、白色生地５の裏面５ｂ側から透過性カラー板９に光を照射して白色生地５を透過性カラー板９と略同色に彩色する照明手段６とを有する。
【００２７】
透過性カラー板９は、図３に示すように、白色生地５と略平行となるようにして基枠２２に着脱自在に設けられるようになっていても構わない。白色生地５は、取付枠３２に固定され、基枠２２に着脱自在に設けられるようになっていても良い。
【００２８】
色彩適合装置４１は、図４に示すように、複数の透孔４３が形成された基枠４２と、複数の透孔４３を塞ぐようにして基枠４２に設けられた白色生地５と、白色生地５の表面５ａ側であって、複数の透孔４３の位置に配置可能な複数の装飾片１０と、白色生地５の裏面５ｂ側であって、基枠４２の複数の透孔４３の位置に着脱自在に設けられる複数の透過性カラー板９と、白色生地５の裏面５ｂ側から複数の透過性カラー板９に光を照射して各透孔部４３の白色生地５を透過性カラー板９と略同色に彩色する照明手段６とを有する。
【００２９】
さらに、色彩適合装置１について詳細に説明する。色彩適合装置１は、図１に示すように、矩形板状の基枠２を有する。基枠２は、光を通さない黒色の合成樹脂素材によって形成されることが望ましい。基枠２の略中心には、略矩形状の透孔３が形成されている。基枠２の裏面２ｂには、透孔３を塞ぐようにして白色生地５が取り付けられている。白色生地５は、基枠２に接着材、ネジ等の固定手段により取り付けられている。
【００３０】
また、基枠２の裏面２ｂには、透過性カラー板９が、白色生地５の裏面５ｂ側に位置して設けられている。透過性カラー板９は、光を通す素材で形成され、赤、青、緑、黄等の色が着色されている。白色生地５の表面５ａ側には、装飾片１０が配置される。装飾片１０は、エンブレム、ワッペン、刺繍等であり、Ｔシャツ、ジャージ、ジャケット等の衣服に熱溶着、縫製、面ファスナー等により取り付けられ、衣服を装飾するものである。
【００３１】
色彩適合装置１は、白色生地５の表面５ａ側に装飾片１０を配置し、白色生地５の裏面５ｂ側に所望する色の透過性カラー板９を配置する。白色生地５の裏面５ｂ側から、白色電球、蛍光灯等の光照明手段６により透過性カラー板９に光を照射すると、白色生地５が透過性カラー板９と略同色に彩色される。例えば、透過性カラー板９の色が赤で有れば、白色生地５が赤となり、透過性カラー板９の色が青で有れば、白色生地５が青となる。
【００３２】
このようにして、透過性カラー板９を差し替えることにより、白色生地５の色を変えることができる。装飾片１０の色彩、模様、外観等のデザインが彩色されたどの色の生地に適合するか自分の目で直接判断することが出来る。
【００３３】
色彩適合装置１１について詳細に説明する。色彩適合装置１１は、図２に示すように、矩形板状の基枠１２を有する。基枠１２は、光を通さない黒色の合成樹脂素材によって形成されることが望ましい。基枠１２の略中心には、略矩形状の透孔１３が形成されている。基枠１２の裏面１２ｂには、透孔１３を塞ぐようにして白色生地５が取り付けられてい
る。白色生地５は、基枠１２に接着材、ネジ等の固定手段により取り付けられている。
【００３４】
また、基枠１２の裏面１２ｂには、白色生地５を覆うようにして、中間部が湾曲した透明ガイド板１６が取り付けられている。透明ガイド板１６は、上縁部１６ａ及び下縁部１６ｂが基枠１２に接着材、ネジ等の固定手段により取り付けられている。透明ガイド板１６が、無色の硬質合成樹脂素材によって形成されることが望ましい。この白色生地５と透明ガイド板１６の間には、収納空間１７が形成される。
【００３５】
基枠１２の一側、即ち基枠１２の上部には、透孔１３の上縁１３ａと略平行の差込孔１８が形成されている。差込孔１８は、収納空間１７と連通し、透明ガイド板１６の上縁部１６ａに沿って形成されている。この差込孔１８には、透過性カラー板９が着脱自在に差し込まれる。透過性カラー板９は、差込孔１８から差し込まれると白色生地５の裏面５ｂ側に位置して設けられ、透明ガイド板１６に沿って湾曲するため、軟質合成樹脂によって形成されている。透過性カラー板９は、光を通す素材で形成され、赤、青、緑、黄等の色が着色されている。白色生地５の表面５ａ側には、前記した装飾片１０が配置される。
【００３６】
色彩適合装置１１は、白色生地５の表面５ａ側に装飾片１０を配置し、所望する色の透過性カラー板９を基枠１２の差込孔１８から差し込むと、透過性カラー板９が透明ガイド板１６に沿って湾曲しながら収納空間１７内に収納され、白色生地５の裏面５ｂ側に配置される。白色生地５の裏面５ｂ側から、白色電球、蛍光灯等の光照明手段６により透過性カラー板９に光を照射すると、白色生地５が透過性カラー板９と略同色に彩色される。例えば、透過性カラー板９の色が赤で有れば、白色生地５が赤となり、透過性カラー板９の色が緑で有れば、白色生地５が緑となる。
【００３７】
このようにして、透過性カラー板９を差し替えることにより、白色生地５の色を変えることができる。装飾片１０の色彩、模様、外観等のデザインが彩色されたどの色の生地に適合するか自分の目で直接判断することが出来る。透明ガイド板１６は、無色透明なので、白色生地５の彩色に影響を与えることがない。また、透過性カラー板９を、色の三原色、即ち、赤、青、緑にすれば、透過性カラー板９を重ね合わせることによって、種々の色をつくりだすことができるので、すべての色の透過性カラー板９を用意する必要がない。
【００３８】
色彩適合装置２１について詳細に説明する。色彩適合装置２１は、図３に示すように、格子状の基枠２２を有する。基枠２２は、一対の前縦枠部材２３，２３と、一対の前縦枠部材２３，２３と略直交する一対の横枠部材２４，２４と、一対の横枠部材２４，２４と略直交する一対の後縦枠部材２５，２５と、一対の前縦枠部材２３，２３と一対の横枠部材２４，２４と一対の後縦枠部材２５，２５を連結する４つの連結軸２６・・とからなる。前縦枠部材２３と横枠部材２４と後縦枠部材２５は、光を通さない黒色の合成樹脂素材によって形成されることが望ましい。この基枠２２の略中心には、略矩形状の透孔２９が形成される。
【００３９】
基枠２２は、一対の前縦枠部材２３，２３と一対の横枠部材２４，２４とによって前収納部３０が形成され、一対の横枠部材２４，２４と一対の後縦枠部材２５，２５とによって後収納部３１が形成される。白色生地５は、略ロ字状の取付枠３２に固定されている。取付枠３２は、左側縁３３と、上側縁３４と、下側縁３５と、左側縁３３より長い右係合部材３６によって形成されている。取付枠３２は、前収納部３０に左側縁３３から収納することができ、右係合部材３６が連結軸２６に係合するまで、上側縁３４及び下側縁３５が連結軸２６・・と一対の前縦枠部材２３，２３と一対の横枠部材２４，２４にガイドされる。このように、取付枠３２は、基枠２２に着脱自在に差し込まれ、白色生地５が透孔２９を塞ぐことができる。
【００４０】
透過性カラー板９は、上係合部材３８によって保持されている。透過性カラー板９は、上係合部材３８が連結軸２６に係合するまで、後収納部３１の上部から収納することができる。このように、透過性カラー板９は、白色生地５と略平行となるようにして基枠２２に着脱自在に差し込まれる。透過性カラー板９は、基枠２２に差し込まれると白色生地５の裏面５ｂ側に位置して設けられる。透過性カラー板９は、光を通す合成樹脂素材で形成され、赤、青、緑、黄等の色が着色されている。白色生地５の表面５ａ側には、装飾片１０が配置される。装飾片１０は、前述した通りである。
【００４１】
色彩適合装置２１は、前収納部３０に取付枠３２を収納し、白色生地５の表面５ａ側に装飾片１０を配置し、後収納部３１に所望する色の透過性カラー板９を収納すると、白色生地５の裏面５ｂ側に透過性カラー板９が配置して設けられる。白色生地５の裏面５ｂ側から、白色電球、蛍光灯等の光照明手段６により透過性カラー板９に光を照射すると、白色生地５が透過性カラー板９と略同色に彩色される。例えば、透過性カラー板９の色が赤で有れば、白色生地５が赤となり、透過性カラー板９の色が青で有れば、白色生地５が青となる。
【００４２】
色彩適合装置２１は、透過性カラー板９を差し替えることにより、白色生地５の色を変えることができる。装飾片１０の色彩、模様、外観等のデザインが彩色されたどの色の生地に適合するか自分の目で直接判断することが出来る。このように、色彩適合装置１１，２１は、白色生地５の表面５ａ側に複数の装飾片１０の中から一つを選択して配置し、白色生地５の裏面５ｂ側に複数の透過性カラー板９の中から一つを選択して配置し、白色生地５の裏面５ｂ側から選択した透過性カラー板９に光を照射して白色生地５を透過性カラー板９と略同色に彩色し、選択した装飾片１０と選択した透過性カラー板９によって彩色された白色生地５の色の適合を調べることができる。
【００４３】
色彩適合装置４１は、図４に示すように、前記色彩適合装置１１が連続して設けられた形となっている。即ち、色彩適合装置４１は、複数の略矩形状の透孔４３が形成された基枠４２を有する。基枠４２は、光を通さない黒色の合成樹脂素材によって形成されることが望ましい。基枠４２の裏面には、複数の透孔４３を塞ぐようにして白色生地５が取り付けられている。また、基枠４２の裏面には、各白色生地５を覆うようにして、中間部が湾曲した透明ガイド板１６が取り付けられている。この白色生地５と透明ガイド板１６の間には、収納空間１７が形成される（図２参照）。
【００４４】
基枠４２の各透孔４３の上部には、透孔４３の上縁４３ａと略平行の差込孔１８が形成されている（図２参照）。差込孔１８は、収納空間１７と連通し、透明ガイド板１６の上縁部１６ａに沿って形成されている。この各差込孔１８には、透過性カラー板９が着脱自在に差し込まれる。透過性カラー板９は、差込孔１８から差し込まれると各白色生地５の裏面５ｂ側に位置して設けられ、透明ガイド板１６に沿って湾曲するため、軟質合成樹脂によって形成されている。各白色生地５の表面５ａ側には、装飾片１０が配置される。即ち、複数の同じ装飾片１０が、複数の各透孔４３の位置に配置される。なお、装飾片１０は、上述した通りである。
【００４５】
色彩適合装置４１は、各白色生地５の表面５ａ側に同じ装飾片１０を配置し、異なる色の透過性カラー板９を基枠４２の各差込孔１８から差し込むと、各透過性カラー板９が、透明ガイド板１６に沿って湾曲しながら各収納空間１７内に収納され、各白色生地５の裏面５ｂ側に配置される。白色生地５の裏面５ｂ側から、白色電球、蛍光灯等の光照明手段６により複数の透過性カラー板９に光を照射すると、各白色生地５が各透過性カラー板９と略同色に彩色される。例えば、赤の透過性カラー板９が差し込まれた白色生地５は赤となり、青の透過性カラー板９が差し込まれた白色生地５は青となる。
【００４６】
このようにして、色彩適合装置４１は、同じ装飾片１０と異なる色に彩色された白色生地５の適合性を透過性カラー板９を交換することなく一目で比較することができ、装飾片１０と生地５の色の適合性の決定を容易且つ迅速に行うことができる。なお、色彩適合装置４１は、異なる装飾片１０と同じ色に彩色された白色生地５の適合性を比較することもできる。
【図面の簡単な説明】
【００４７】
【図１】本願発明に係る色彩適合装置及び色彩適合方法の原理図である。
【図２】本願発明に係る色彩適合装置及び色彩適合方法の一つの実施の形態を示す説明図である。
【図３】本願発明に係る色彩適合装置及び色彩適合方法の他の実施の形態を示す説明図である。
【図４】本願発明に係る色彩適合装置及び色彩適合方法の他の実施の形態を示す説明図である。
【符号の説明】
【００４８】
１  色彩適合装置
２  基枠
２ａ  表面
２ｂ  裏面
３  透孔
５  白色生地
５ａ  表面
５ｂ  裏面
６  光照明手段
９  透過性カラー板
１０  装飾片
１１  色彩適合装置
１２  基枠
１２ａ  表面
１２ｂ  裏面
１３  透孔
１３ａ  上縁
１６  透明ガイド板
１６ａ  上縁部
１６ｂ  下縁部
１７  収納空間
１８  差込孔
２１  色彩適合装置
２２  基枠
２３  前縦枠部材
２４  横枠部材
２５  後縦枠部材
２６  連結軸
２９  透孔
３０  前収納部
３１  後収納部
３２  取付枠
３３  左側縁
３４  上側縁
３５  下側縁
３６  右係合部材
３８  上係合部材
４１  色彩適合装置
４２  基枠
４３  透孔
４３ａ  上縁
【図１】
2005298999.tif 000003
【図２】
2005298999.tif 000004
【図３】
2005298999.tif 000005
【図４】
2005298999.tif 000006